(57)【要約】【課題】  多くの情報が掲載でき、しかも、開封作業が簡単なＤＭ用に使用して好適な折り畳み冊子を提供する。【解決手段】  複数の冊子片を横に展開して各冊子片の堺に縦に折り目を付け、一方の端の冊子片から順に折り目を折って巻き込むようにして他方の端から二番目の冊子片の上に折り重ね、この上に他方の端の冊子片を折り重ねた冊子片を包むように折り返してこの冊子片とその下にある冊子片の開放側端部を剥離可能な糊で接着するとともに、糊接着部を残して全体を所定の形状に打ち抜いてある折り畳み冊子。【選択図】  図３
0003121172.tif 000002
【実用新案登録請求の範囲】
【請求項１】
複数の冊子片を横に展開して各冊子片の堺に縦に折り目を付け、一方の端の冊子片から順に折り目を折って巻き込むようにして他方の端から二番目の冊子片の上に折り重ね、この上に他方の端の冊子片を折り重ねた冊子片を包むように折り返してこの冊子片とその下にある冊子片の開放側端部を剥離可能な糊で接着するとともに、糊接着部を残して全体を所定の形状に打ち抜いてある折り畳み冊子。
【請求項２】
他方の端の冊子片の外側にフラップを延長しておき、このフラップを折り重ねた冊子片を包むように折り返してフラップとその下にある冊子片を剥離可能な糊で接着した請求項１の折り畳み冊子。
【考案の詳細な説明】
【技術分野】
【０００１】
本考案は、ダイレクトメール（ＤＭ）に使用して好適な折り畳み冊子に関するものである。
【背景技術】
【０００２】
ＤＭは、多数の冊子片が連なっている方が多くの情報を掲載できて宣伝効果が大きい。このため、下記特許文献１では、本文を表紙で包んで背で綴じ（中綴じ）、表紙の一方をミシン目を介して延長部に形成し、ミシン目を折り返して延長部で本文を包んで裏表紙に糊付けするものが提案されている。そして、これを受け取った受取人は、ミシン目に沿って切り取って開封するものである。しかし、この先行例のものは、ミシン目で切り取らなければならないから、鋏やカッターが必要であったりと、開封作業が煩雑である。
【特許文献１】特開２００４−９４８１号公報
【考案の開示】
【考案が解決しようとする課題】
【０００３】
本考案は、このような課題を解決したものであり、冊子状のものであっても、両側が閉じられている限り、天地（上下）が開放されていても（各冊子片がバラバラの状態）、そのまま郵送できることに鑑み、数多くの情報が掲載できる上に、開封作業がきわめて簡単になるようにした折り畳み冊子を提供したものである。
【課題を解決するための手段】
【０００４】
以上の課題の下、本考案は、請求項１に記載した、複数の冊子片を横に展開して各冊子片の堺に縦に折り目を付け、一方の端の冊子片から順に折り目を折って巻き込むようにして他方の端から二番目の冊子片の上に折り重ね、この上に他方の端の冊子片を折り重ねた冊子片を包むように折り返してこの冊子片とその下にある冊子片の開放側端部を剥離可能な糊で接着するとともに、糊接着部を残して全体を所定の形状に打ち抜いてある折り畳み冊子を提供する他、これにおいて、請求項２に記した、他方の端の冊子片の外側にフラップを延長しておき、このフラップを折り重ねた冊子片を包むように折り返してフラップとその下にある冊子片を剥離可能な糊で接着した手段を提供したものである。
【考案の効果】
【０００５】
請求項１の考案によると、この冊子は、冊子片を折り重ねたものであるから、冊子片の数を増やすことで掲載する情報量を増やすことができる。そして、この冊子の受取人は、小範囲に塗布された剥離可能な糊を剥がすだけで、簡単に開封できることになる。したがって、読まずに遺棄される度合いが少なく、通知効果が大きい。加えて、この糊は、開放側の一側縁に塗布するだけであるから、作業が簡単である上に量も少なくてすむ。加えて、全体が特定の形状に打ち抜いてあり、興味喚起効果が高い。
【０００６】
請求項１で特に強調したいのは、冊子となったどこにもミシン目が形成されていないことである。したがって、取扱い時や郵送中に破断したりすることがない。なお、糊は、剥離可能な弱粘着性のものであるが、これにも少々の外力を受けたとしても剥離しない相当の接着力があるものがあるから、これを使用すればよい。さらに、請求項２の手段によると、冊子の包み込みがより完全になる。
【考案を実施するための最良の形態】
【０００７】
以下、本考案の実施の形態を図面を参照して説明する。図１は本考案に係る折り畳み冊子の各冊子片の展開図、図２は折り畳み冊子にするための各冊子片の折りを示す説明図であるが、この折り畳み冊子は、同一形状をした複数の連続した冊子片１ａ〜１ｄを有しており、各冊子片１ａ〜１ｂの境界に縦に折り目２ａ〜２ｃを付けたもので構成される。なお、本例では、冊子片１ａ〜１ｄの数は四枚（折り目２ａ〜２ｃの数は三個）としたが、これに限定されるものではない。
【０００８】
以上の各冊子片１ａ〜１ｄは、一方の端の冊子片１ａ（図では右側になっているが、左側でもよい）から折り目２ａ〜２ｂを折って順に巻き込むようにして他方の端から二番目の冊子片１ｃの上に折り重ねる。次に、一方の一番端の冊子片１ｄを折り目２ｃで折り返してこの上に重ねる。すると、各冊子片１ａ〜１ｄは、重なって一つの冊子になるが、このとき、一番上の冊子片１ｄにおける折り目２ｄと反対側の側縁は、下の冊子片１ｂとの間で口を開いた開放状態となる。そこで、この側縁に（もう一方の側縁は閉鎖されているから、必要ない）剥離可能な糊３を塗布して接着する。なお、この糊は、弱粘着性の糊でよいし、以上の折り操作や糊付け操作は、折機や製本機械による自動でもよいし、人の手によるものであってもよい。
【０００９】
この状態になった冊子は、その左側は、二つの冊子片１ｄ、１ｃが折り目２ｃで折られて中の冊子片１ａ、１ｂが包まれており、右側は、各冊子片１ａ〜１ｃが巻き込まれて同じく包まれており、開放している二つの冊子片１ｄ、１ｂは、その側縁同士を糊３で接着されている。したがって、冊子の天地は開放しているものの、左右はいずれも閉鎖されている。このため、このままの状態で郵送できることになり、受取人は、わずかな範囲の糊３を剥がすだけで開封できることになる。なお、この冊子をＤＭとして郵送するについては、表紙となる部分に宛名等所定の事項を印刷したり或いは印刷したシール等を貼ることになる（もちろん、記載してもよい）。
【００１０】
ところで、この冊子をＤＭとする場合、その形状は奇抜な方が注意を引いて宣伝効果が高い。図３はその一例を示す折り畳み冊子の平面図であるが、このように、全体を特定の形状にしたりするが、それには、始めから各冊子片１ａ〜１ｄを所定の形状に揃えておき、これを折り返し、糊付けして冊子にする方法がある。ただ、この方法による場合、冊子片１ａ〜１ｄの成形や折り返しが煩雑になる点がある。
【００１１】
そこで、本考案は、冊子にした後で全体を打ち抜く方法によっている。この場合、糊付け個所が複数であると、打抜機の刃と糊付け個所とが合わないことがあり、その場合は、糊付けが解消してしまう。しかし、本考案のように、一側縁は包み折りして他側縁は糊付けするものの、天地は開放したままのものであれば、糊付けの範囲を端からある程度入った個所にしておくことで、刃の位置が少々ずれたとしても、刃が糊付け部分を打ち抜くことを避けることができる。なお、以上において、開放しているのが上下であり、閉鎖しているのが左右としたが、これは逆であってもよい。
【００１２】
図４は本考案の他の例であるが、本例のものは、他方の端の冊子片１ｄの外側にフラップ１ｄｄを延長させておき、最後にこのフラップ１ｄｄを折り重ねた冊子片を包むように折り返してフラップ１ｄｄとその下にある冊子片１ｃを剥離可能な糊３で接着したものである。本例のものは、冊子の包装効果が高いことと、見映えがよいのが特徴である。
【図面の簡単な説明】
【００１３】
【図１】本考案に係る折り畳み冊子の各冊子片の展開図である。
【図２】折り畳み冊子にするための各冊子片の折りを示す説明図である。
【図３】全体を所定の形状にした冊子の平面図である。
【図４】折り畳み冊子にするための別の例の各冊子片の折りを示す説明図である。
【符号の説明】
【００１４】
１ａ〜１ｄ    冊子片
１ｄｄ        フラップ
２ａ〜２ｃ    折り目
３            剥離可能な糊
【図１】
0003121172.tif 000003
【図２】
0003121172.tif 000004
【図３】
0003121172.tif 000005
【図４】
0003121172.tif 000006